(57)【要約】      （修正有）【課題】利用者は、情報を知りたいことをネットワークに送出するだけで、一番都合の良い同等な通信環境の相手と１対１接続ができる。【解決手段】情報提供者は、最寄りのエッジノードから仮想ポータルサイトに対応した情報入力フォームを受信し、同じフォームで送信するだけで、情報提供者の最寄りのエッジノードが、提供情報とその情報通信端末と最寄りの該エッジノード間のネットワーク情報を全エッジノードに分配処理し、情報利用者は、最寄りのエッジノードから仮想ポータルサイトに対応した情報入力フォームを受信し、利用情報を情報入力フォームに入力で送信するだけで、情報利用者にその該情報通信端末と最寄りのエッジノード間のネットワーク情報を検出し、提供情報と利用情報、及び情報利用者と情報提供者がネットワーク情報に基づいて情報提供者を決定して接続して、情報利用者は最適な情報提供者とリアルタイムに１対１の通信サービスを受けられる。【選択図】図２
2005165539.tif 000002
【特許請求の範囲】
【請求項１】
キャリアネットワーク或いはＩＳＰ網と、該キャリアネットワーク或はＩＳＰ網内のエッジノードと、情報提供者の情報通信端末と、情報利用者の情報通信端末と、情報提供者や情報利用者の情報通信端末などの利用者端末を最寄りのエッジノードに接続するアクセス網とからなる利用者間の接続サービスシステムにおいて、
キャリアネットワーク或いはＩＳＰ網内の各エッジノード内に仮想ポータルサイトを設け、該仮想ポータルサイトに対応した情報入力フォームを登録し、
情報提供者の情報通信端末に最寄りのエッジノードは、当該情報提供者の情報通信端末から当該エッジノード内の仮想ポータルサイトヘの接続要求を判定し、該仮想ポータルサイトに対応した情報入力フォームを当該情報提供者の情報通信端末に送信し、当該情報提供者の情報端末で該情報入力フォームに入力された提供情報を受信し保持する手段と、当該エッジノードのノード特定情報、当該情報提供者の情報通信端末と該情報通信端末に最寄りの当該エッジノード間のネットワーク情報及び当該情報提供者の情報通信端末の端末特定情報を検出し保持する手段と、全エッジノードに当該情報提供者の提供情報と、当該エッジノードのノード特定情報、当該情報提供者の情報通信端末と該情報通信端末に最寄りの当該エッジノード間のネットワーク情報及び当該情報提供者の情報通信端末の端末特定情報を含む補助情報を分配処理する手段とを具え、
情報利用者の情報通信端末に最寄りのエッジノードは、情報提供者の情報通信端末に最寄りのエッジノードから分配された情報提供者の提供情報と、情報提供者に最寄りのエッジノードのノード特定情報、情報提供者の情報通信端末と該情報通信端末に最寄りのエッジノード間のネットワーク情報及び情報提供者の情報通信端末の端末特定情報を含む補助情報とを受信する手段と、当該情報利用者の情報通信端末から当該エッジノード内の仮想ポータルサイトヘの接続要求を受信すると当該情報利用者の情報通信端末で該情報入力フォームを当該情報利用者の情報通信端末に送信し、該仮想ポータルサイトに対応した情報入力フォームに入力された利用情報を受信する手段と、当該情報利用者の情報通信端末と該情報通信端末に最寄りの該エッジノード間のネットワーク情報及び当該情報利用者の情報通信端末の端末特定情報を検出する手段と、受信した情報提供者の提供情報と当該情報利用者の利用情報、及び情報提供者の情報通信端末と該情報通信端末に最寄りのエッジノード間のネットワーク情報と当該情報利用者の情報通信端末と該情報通信端末に最寄りのエッジノード間のネットワーク情報とから情報提供者候補を検索して抽出する手段と、抽出した情報提供者候補からトラフィック情報により情報提供者を決定する手段と、決定した情報提供者の情報通信端末の端末特定情報及び該端末に最寄りのエッジノードのノード特定情報に基づいて決定した情報提供者の情報通信端末に最寄りのエッジノードとの間に接続を設定し、情報提供者と情報利用者とがリアルタイムに１対１通信を可能とする手段とを具えることを特徴とするネットワーク情報を用いた利用者間の接続サービスシステム。
【請求項２】
請求項１に記載のネットワーク情報を用いた利用者間の接続サービスシステムにおいて、
情報提供者の情報通信端末は、最寄りのエッジノード内の仮想ポータルサイトに接続要求し、該仮想ポータルサイトから仮想ポータルサイトに対応した情報入力フォームを受信し、提供情報を仮想ポータルサイトに対応した情報入力フォームに入力して送信する手段を具え、
情報利用者の情報通信端末は、最寄りのエッジノード内の仮想ポータルサイトに接続要求し、該仮想ポータルサイトから仮想ポータルサイトに対応した情報入力フォームを受信し、利用情報を仮想ポータルサイトに対応した情報入力フォームに入力して送信する手段を具えることを特徴とするネットワーク情報を用いた利用者間の接続サービスシステム。
【請求項３】
請求項１又は２に記載のネットワーク情報を用いた利用者間の接続サービスシステムにおいて、上記のトラフィック情報により情報提供者を決定する手段は、キャリアネットワーク或いはＩＳＰ網内のネットワーク管理システムに間い合わせし、抽出された情報提供者の候補についてのエッジノード対他間トラフィック情報を入手し、情報提供者を決定することを特徴とするネットワーク情報を用いた利用者間の接続サービスシステム。
【請求項４】
請求項１乃至３の何れかに記載のネットワーク情報を用いた利用者間の接続サービスシステムにおいて、情報提供者の候補を検索して抽出する前記手段は、情報提供者の提供情報と当該情報利用者の利用情報とから該当する情報提供者の候補を検索して抽出し、更に情報提供者の情報通信端末と該情報通信端末に最寄りの該エッジノード間のネットワーク情報と、当該情報利用者の情報通信端末と該情報通信端末に最寄りの該エッジノード間のネットワーク情報とから最も等しい情報提供者を検索して抽出することを特徴とするネットワーク情報を用いた利用者間の接続サービスシステム。
【請求項５】
請求項１乃至４に記載のネットワーク情報を用いた利用者間の接続サービスシステムにおいて、全エッジノードに情報提供者の提供情報と、情報提供者の情報通信端末と情報提供者の情報通信端末に最寄りの該エッジノード間のネットワーク情報、該エッジノードのノード特定情報及び情報提供者の情報通信端末の端末特定情報を含む補助情報を分配処理する前記手段は、上記の分配処理後もこれらの情報の分配処理を周期的に行うことを特徴とするネットワーク情報を用いた利用者間の接続サービスシステム。
【請求項６】
請求項１乃至５の何れかに記載のネットワーク情報を用いた利用者間の接続サービスシステムにおいて、情報利用者の情報通信端末に最寄りのエッジノードは、情報提供者の候補を検索して抽出する前記手段において、情報利用者の利用情報と一致する提供情報がないときは、情報利用者の情報通信端末に該当なしと通知した後、情報利用者の情報通信端末との接続を切断する手段を具えることを特徴とするネットワーク情報を用いた利用者間の接続サービスシステム。
【請求項７】
請求項１乃至６の何れかに記載のネットワーク情報を用いた利用者間の接続サービスシステムにおいて、情報利用者の情報通信端末に最寄りの該エッジノードは、情報提供者の情報通信端末に最寄りの該エッジノードとの間に接続を設定し情報提供者と情報利用者がリアルタイムに１対１通信を可能とする前記手段において、接続すべき情報提供者の情報通信端末が接続待ち状態でない場合には、情報提供者を決定する前記手段でエッジノード対地間トラフィック情報に基づいて順位づけし、最も良い情報提供者でない次の情報提供者に接続を試みる手段、或いはエッジノード対地間トラフィック情報により情報提供者を決定する前記手段によりあらためて情報提供者を決定する手段、或いは情報提供者の候補を検索して抽出する前記手段によりあらためて情報提供者の候補を検索する手段を具えることを特徴とするネットワーク情報を用いた利用者間の接続サービスシステム。
【請求項８】
請求項１乃至７の何れかに記載のネットワーク情報を用いた利用者間の接続サービスシステムにおいて、前記ネットワーク管理システムは、各エッジノードからトラフィック情報を収集し、エッジノード対地間トラフィック情報を管理することを特徴とするネットワーク情報を用いた利用者間の接続サービスシステム。
【請求項９】
請求項１に記載のネットワーク情報を用いた利用者間の接続サービスシステムに使用するエッジノードであって、当該エッジノードは、
仮想ポータルサイト及び該仮想ポータルサイトに登録された情報入力フォームと、
情報提供者の情報通信端末に最寄りのエッジノードから分配された情報提供者の提供情報と、情報提供者に最寄りのエッジノードのノード特定情報、情報提供者の情報通信端末と該情報通信端末に最寄りのエッジノード間のネットワーク情報及び情報提供者の情報通信端末の端末特定情報を含む補助情報とを受信し保持する手段と、
最寄りの情報利用者の情報通信端末から当該エッジノード内の仮想ポータルサイトヘの接続要求を判定し、該仮想ポータルサイトに対応した情報入力フォームを前記最寄りの情報利用者の情報通信端末に送信し、前記最寄りの情報利用者の情報通信端末で該情報入力フォームに入力された利用情報を受信し保持する手段と、
前記最寄りの情報利用者の情報通信端末と当該エッジノード間のネットワーク情報及び前記最寄りの情報利用者の情報通信端末の端末特定情報を検出する手段と、
受信した情報提供者の提供情報と前記最寄りの情報利用者の利用情報、及び情報提供者の情報通信端末と該情報通信端末に最寄りのエッジノード間のネットワーク情報と前記最寄りの情報利用者の情報通信端末と当該エッジノード間のネットワーク情報とから情報提供者候補を検索して抽出する手段と、
抽出した情報提供者候補からトラフィック情報により情報提供者を決定する手段と、
決定した情報提供者の情報通信端末の端末特定情報及び該端末に最寄りのエッジノードのノード特定情報に基づいて決定した情報提供者の情報通信端末の最寄りのエッジノードとの間に接続を設定し、情報提供者と情報利用者との間でリアルタイムに１対１通信を可能とする手段とを具えることを特徴とするエッジノード。
【請求項１０】
請求項９に記載のエッジノードにおいて、上記のトラフィック情報により情報提供者を決定する手段は、キャリアネットワーク或いはＩＳＰ網内のネットワーク管理システムに間い合わせし、抽出された情報提供者の候補についてのエッジノード対他間トラフィック情報を入手し、情報提供者を決定することを特徴とするエッジノード。
【請求項１１】
請求項９又は１０に記載のエッジノードにおいて、情報提供者の候補を検索して抽出する前記手段は、情報提供者の提供情報と情報利用者の利用情報とから該当する情報提供者の候補を検索して抽出し、更に情報提供者の情報通信端末と該情報通信端末に最寄りのエッジノード間のネットワーク情報と、最寄りの情報利用者の情報通信端末と当該エッジノード間のネットワーク情報とから最も等しい情報提供者を検索して抽出することを特徴とするエッジノード。
【請求項１２】
請求項９乃至１１の何れかに記載のエッジノードにおいて、当該エッジノードは、情報提供者の候補を検索して抽出する前記手段において、情報利用者の利用情報と一致する提供情報がないときは、情報利用者の情報通信端末に該当なしと通知した後、情報利用者の情報通信端末との接続を切断する手段を具えることを特徴とするエッジノード。
【請求項１３】
請求項９乃至１２の何れかに記載のエッジノードにおいて、当該エッジノードは、情報提供者の情報通信端末に最寄りのエッジノードとの間に接続を設定し情報提供者と情報利用者がリアルタイムに１対１通信を可能とする前記手段において、接続すべき情報提供者の情報通信端末が接続待ち状態でない場合には、情報提供者を決定する前記手段でエッジノード対地間トラフィック情報に基づいて順位づけし、最も良い情報提供者で無い次の情報提供者に接続を試みる手段、或いはエッジノード対地間トラフィック情報により情報提供者を決定する前記手段によりあらためて情報提供者を決定する手段、或いは情報提供者の候補を検索して抽出する前記手段によりあらためて情報提供者の候補を検索する手段を具えることを特徴とするエッジノード。
【請求項１４】
請求項１に記載のネットワーク情報を用いた利用者間の接続サービスシステムに使用するエッジノードであって、当該エッジノードは、
仮想ポータルサイト及び該仮想ポータルサイトに登録された情報入力フォームと、
最寄りの情報提供者の情報通信端末から当該エッジノード内の仮想ポータルサイトヘの接続要求を判定し、該仮想ポータルサイトに対応した情報入力フォームを前記最寄りの情報提供者の情報通信端末に送信し、前記最寄りの情報提供者の情報通信端末で情報入力フォームに入力された提供情報を受信し保持する手段と、
当該エッジノードのノード特定情報、前記最寄りの情報提供者の情報通信端末と当該エッジノード間のネットワーク情報及び前記最寄りの情報提供者の情報通信端末の端末特定情報を検出し保持する手段と、全エッジノードに前記最寄りの情報提供者の提供情報と、当該エッジノードのノード特定情報、前記最寄りの情報提供者の情報通信端末と当該エッジノード間のネットワーク情報及び前記最寄りの情報提供者の情報通信端末の端末特定情報を含む補助情報を分配処理する手段とを具えることを特徴とするエッジノード。
【請求項１５】
請求項１４に記載のエッジノードにおいて、全エッジノードに最寄りの情報提供者の提供情報と、最寄りの情報提供者の情報通信端末と当該エッジノード間のネットワーク情報、当該エッジノードのノード特定情報及び最寄りの情報提供者の情報通信端末の端末特定情報を含む補助情報を分配処理する前記手段は、これらの情報の分配処理を周期的に行うことを特徴とするエッジノード。
【請求項１６】
請求項９乃至１３の何れかに記載のエッジノードの構成と、請求項１４又は１５に記載のエッジノードの構成とを具えたことを特徴とするエッジノード。
【発明の詳細な説明】
【技術分野】
【０００１】
本発明はネットワーク情報を用いた利用者間接続サービスシステムに関するものである。
【背景技術】
【０００２】
図１は、従来のサーバを用いた情報通信システムの例を示す図である。
従来のサーバを用いた情報通信システムは、情報提供者１の情報通信端末１６と、情報提供者２の情報通信端末１７と、情報利用者３の情報通信端末１８と、情報利用者４の情報通信端末１９と、キャリアネットワーク或いはＩＳＰ網１４と、該キャリアネットワーク或はＩＳＰ網１４内のエッジルータ２３，２２，２４，２５と、情報提供者１，２や情報利用者３の情報通信端末１６，１７，１８などの利用者端末を最寄りのエッジルータ２２，２３，２４に接続するアクセス網１５ｂ，１５ａ，１５ｃと、利用者間の接続サービスを実行するサーバ２１とからなる。
【０００３】
このようなサーバ２１を用いた従来のサーバ方式では、例えばサーバ２１が東京にあった場合、サーバ２１を機軸に見て最適な相手と接続するので、京都の情報利用者３の情報通信端末１８からの接続要求に対しては、サーバ２１から見て応答性の良い横浜の情報提供者２の情報通信端末１７との接続が与えられることになる。このため、京都の情報利用者３の情報通信端末１８から見て応答性の良い大阪の情報提供者１の情報通信端末１６との接続を保証できるものではなかった。また、サーバ２１を介した接続では、横浜の情報提供者２の情報通信端末１７は、東京にあるサーバ２１を経由し、京都の情報利用者３の情報通信端末１８との接続になってしまい、エッジルータ２５での輻輳、サーバ２１の負荷集中などにより必ずしも最適な通信環境の相手との接続が可能ではなかった。また、サーバの接続要求が増えるとサーバ２１での処理負荷が大きくなる等の間題が発生していた。且つ多くの機能を一箇所のセンターサーバ上におくことは、センターサーバでの故障や輻輳やＤｏＳ（Denial of Service）攻撃などの情報提供サービス耐性にリスクがあり、その一箇所の障害がシステム全体の停止に波及しやすい状況があった。従来には、情報提供者と情報利用者の接続をエンドーエンド間にて最適な相手と接続するサービスシステムは無かった。
【０００４】
また、特開２００１−１４４７５４号公報（特許文献１）には、インターネットなどのコンピュータネットワーク上において、特定のサービス事業者等が運営するサーバを必要とすることなく情報交換などを実現できる情報通信システムが開示されている。
しかし、この情報通信システムは、ネットワーク内のトラフィック情報をみて接続相手を決める構成になっていない。
【０００５】
また、特開２００２−９４５６１号公報（特許文献２）には、意味情報とデータからなるイベントの配送を行う情報通信システムであって、意味情報の内容に基づいて前記イベントの配送先を決定し、決定された配送先に対して前記イベントを配送する意味情報ネットワークが開示されている。
しかし、このネットワークでは、イベント受信者が受信を希望するイベントの意味情報をネットワークに登録し（これをフィルタという）、フィルタが発火したとき（登録した意味情報がイベント送信者が送信したイベントと一致したとき）、対応するイベント受信者の端末を接続先と決定する構成になっており、トラフィック情報をみて決めることはできない。
【０００６】
また、特開２００１−６９１７０号公報（特許文献３）には、インターネット内の一部の通信に品質が保証されていない通信網において、通信網のトラフィックや品質を計測し、計測したデータを元に品質を評価し、評価結果に基づいて該通信網の品質を予測し、予測結果を該通信網を介して利用者に提示するネットワーク情報システムが開示されている。ユーザは提示された予測品質を見てサービスクラスを選択する。
【０００７】
【特許文献１】特開２００１-１４４７５４号公報
【特許文献２】特開２００２-９４５６１号公報
【特許文献３】特開２００１-６９１７０号公報
【発明の開示】
【発明が解決しようとする課題】
【０００８】
本発明の目的は、キャリアネットワーク或いはＩＳＰ網と、該キャリアネットワーク或はＩＳＰ網内のエッジルータと、情報提供者の情報通信端末と、情報利用者の情報通信端末と、情報提供者や情報利用者の情報通信端末などの利用者端末を最寄りのエッジルータに接続するアクセス網とからなる利用者間の接続サービスシステムにおいて、ネットワーク側で処理を行うことに有効性があるアクセス網の帯域情報を用いてディスカバリを行うことができ、かつ利用者は、自分が情報を知りたいことをネットワークに送出するだけで、通信する相手を見つけることができ、さらにエンド−エンド間にとって一番都合の良い同等な通信環境の相手と１対１接続ができるようにすることにある。
【課題を解決するための手段】
【０００９】
本発明は、上記の課題を解決するために、キャリアネットワーク或いはＩＳＰ網と、該キャリアネットワーク或はＩＳＰ網内のエッジノードと、情報提供者の情報通信端末と、情報利用者の情報通信端末と、情報提供者や情報利用者の情報通信端末などの利用者端末を最寄りのエッジノードに接続するアクセス網とからなる利用者間の接続サービスシステムにおいて、
キャリアネットワーク或いはＩＳＰ網内の各エッジノード内に仮想ポータルサイトを設け、該仮想ポータルサイトに対応した情報入力フォームを登録し、
情報提供者の情報通信端末に最寄りのエッジノードは、当該情報提供者の情報通信端末から当該エッジノード内の仮想ポータルサイトヘの接続要求を判定し、該仮想ポータルサイトに対応した情報入力フォームを当該情報提供者の情報通信端末に送信し、当該情報提供者の情報端末で該情報入力フォームに入力された提供情報を受信し保持する手段と、当該エッジノードのノード特定情報、当該情報提供者の情報通信端末と該情報通信端末に最寄りの当該エッジノード間のネットワーク情報及び当該情報提供者の情報通信端末の端末特定情報を検出し保持する手段と、全エッジノードに当該情報提供者の提供情報と、当該エッジノードのノード特定情報、当該情報提供者の情報通信端末と該情報通信端末に最寄りの当該エッジノード間のネットワーク情報及び当該情報提供者の情報通信端末の端末特定情報を含む補助情報を分配処理する手段とを具え、
情報利用者の情報通信端末に最寄りのエッジノードは、情報提供者の情報通信端末に最寄りのエッジノードから分配された情報提供者の提供情報と、情報提供者に最寄りのエッジノードのノード特定情報、情報提供者の情報通信端末と該情報通信端末に最寄りのエッジノード間のネットワーク情報及び情報提供者の情報通信端末の端末特定情報を含む補助情報とを受信する手段と、当該情報利用者の情報通信端末から当該エッジノード内の仮想ポータルサイトヘの接続要求を受信すると当該情報利用者の情報通信端末で該情報入力フォームを当該情報利用者の情報通信端末に送信し、該仮想ポータルサイトに対応した情報入力フォームに入力された利用情報を受信し保持する手段と、当該情報利用者の情報通信端末と該情報通信端末に最寄りの該エッジノード間のネットワーク情報及び当該情報利用者の情報通信端末の端末特定情報を保持する手段と、受信した情報提供者の提供情報と当該情報利用者の利用情報、及び情報提供者の情報通信端末と該情報通信端末に最寄りのエッジノード間のネットワーク情報と当該情報利用者の情報通信端末と該情報通信端末に最寄りのエッジノード間のネットワーク情報とから情報提供者候補を検索して抽出する手段と、抽出した情報提供者候補からトラフィック情報により情報提供者を決定する手段と、決定した情報提供者の情報通信端末の端末特定情報及び該端末に最寄りのエッジノードのノード特定情報に基づいて決定した情報提供者の情報通信端末の最寄りのエッジノードとの間に接続を設定し、情報提供者と情報利用者とがリアルタイムに１対１通信を可能とする手段とを具えることを特徴とする（請求項１）。
【００１０】
本発明のネットワーク情報を用いた利用者間の接続サービスシステムにおいては、更に、
情報提供者の情報通信端末は、最寄りのエッジノード内の仮想ポータルサイトに接続要求し、該仮想ポータルサイトから仮想ポータルサイトに対応した情報入力フォームを受信し、提供情報を仮想ポータルサイトに対応した情報入力フォームに入力して送信する手段を具え、
情報利用者の情報通信端末は、最寄りのエッジノード内の仮想ポータルサイトに接続要求し、該仮想ポータルサイトから仮想ポータルサイトに対応した情報入力フォームを受信し、利用情報を仮想ポータルサイトに対応した情報入力フォームに入力して送信する手段を具えることを特徴とする（請求項２）。
【００１１】
本発明のネットワーク情報を用いた利用者間の接続サービスシステムにおいては、更に、上記のトラフィック情報により情報提供者を決定する手段は、キャリアネットワーク或いはＩＳＰ網内のネットワーク管理システムに間い合わせし、抽出された情報提供者の候補についてのエッジノード対他間トラフィック情報を入手し、情報提供者を決定することを特徴とする（請求項３）
【００１２】
本発明のネットワーク情報を用いた利用者間の接続サービスシステムにおいては、更に、情報提供者の候補を検索して抽出する前記手段は、情報提供者の提供情報と当該情報利用者の利用情報とから該当する情報提供者の候補を検索して抽出し、更に情報提供者の情報通信端末と該情報通信端末に最寄りの該エッジノード間のネットワーク情報と、当該情報利用者の情報通信端末と該情報通信端末に最寄りの該エッジノード間のネットワーク情報とから最も等しい情報提供者を検索して抽出することを特徴とする（請求項４）。
【００１３】
本発明のネットワーク情報を用いた利用者間の接続サービスシステムにおいては、更に、全エッジノードに情報提供者の提供情報と、情報提供者の情報通信端末と情報提供者の情報通信端末に最寄りの該エッジノード間のネットワーク情報、該エッジノードのノード特定情報及び情報提供者の情報通信端末の端末特定情報を含む補助情報を分配処理する前記手段は、上記の分配処理後もこれらの情報の分配処理を周期的に行うことを特徴とする（請求項５）。
【００１４】
本発明のネットワーク情報を用いた利用者間の接続サービスシステムにおいては、更に、情報利用者の情報通信端末に最寄りのエッジノードは、情報提供者の候補を検索して抽出する前記手段において、情報利用者の利用情報と一致する提供情報がないときは、情報利用者の情報通信端末に該当なしと通知した後、情報利用者の情報通信端末との接続を切断する手段を具えることを特徴とする（請求項６）。
【００１５】
本発明のネットワーク情報を用いた利用者間の接続サービスシステムにおいては、更に、情報利用者の情報通信端末に最寄りの該エッジノードは、情報提供者の情報通信端末に最寄りのエッジノードとの間に接続を設定し情報提供者と情報利用者がリアルタイムに１対１通信を可能とする前記手段において、接続すべき情報提供者の情報通信端末が接続待ち状態でない場合には、情報提供者を決定する前記手段でエッジノード対地間トラフィック情報に基づいて順位づけし、最も良い情報提供者でない次の情報提供者に接続を試みる手段、或いはエッジノード対地間トラフィック情報により情報提供者を決定する前記手段によりあらためて情報提供者を決定する手段、或いは情報提供者の候補を検索して抽出する前記手段によりあらためて情報提供者の候補を検索する手段を具えることを特徴とする（請求項７）。
【００１６】
本発明のネットワーク情報を用いた利用者間の接続サービスシステムにおいては、更に、前記ネットワーク管理システムは、各エッジノードからトラフィック情報を収集し、エッジノード対地間トラフィック情報を管理することを特徴とする（請求項８）。
【発明の効果】
【００１７】
１．本発明のシステムによれば、情報提供者は、最寄りのエッジノードから仮想ポータルサイトに対応した情報入力フォームを受信し、提供情報を仮想ポータルサイトに対応した情報入力フォームに入力して送信するだけで、情報提供者の最寄りのエッジノードが、情報提供者の提供情報とともに情報提供者の情報通信端末と情報提供者の情報通信端末に最寄りの該エッジノード間のネットワーク情報を全エッジノードに分配処理し、情報利用者は、最寄りのエッジノードから仮想ポータルサイトに対応した情報入力フォームを受信し、利用情報を仮想ポータルサイトに対応した情報入力フォームに入力して送信するだけで、情報利用者に最寄りのエッジノードが、情報利用者の該情報通信端末と最寄りのエッジノード間のネットワーク情報を検出し、提供情報と利用情報、及び情報利用者と最寄りのエッジノード間ネットワーク情報と情報提供者と最寄りのエッジノード間のネットワーク情報に基づいて情報提供者を決定して接続してくれるので、情報利用者は最適な情報提供者とリアルタイムに１対１の通信サービスを受けられる。
２．情報提供者の提供情報を受信した情報利用者の最寄りのエッジノードは、更にネットワーク管理システムからエッジノード対地間トラフィック情報を入手し、適合する情報提供者の選択が可能であり、キャリアネットワーク或いはＩＳＰ網及びアクセス網を含めたエンドーエンド間で最適なネットワーク回線により相手と接続することが可能である。
３．ネットワーク内のエッジノードは、サービス提供事業者等のセンターサーバと同じ動作をする為、該サービス提供事業者はサーバを必要としないのでサービスの迅速な立ち上げが可能である。
４．情報提供者の提供情報を受信する最寄りのエッジノードは、全エッジノードに分散処理をする為、単一障害（ネットワーク内の一部の輻輳、或いは一部のエッジノードへのＤｏＳ攻撃）があっても、サービス全体の障害になることがなく耐性がある。
【発明を実施するための最良の形態】
【００１８】
図２は、本発明によるネットワーク情報を用いた利用者間接続サービスシステムの一実施例を示す。
本例システムは、情報提供者１、２の情報通信端末１６，１７と、情報利用者３，４の情報通信端末１８，１９と、キャリアネットワーク或いはＩＳＰ網１４内のエッジノード７，９，１１，１３と、キャリアネットワーク或いはＩＳＰ網内のネットワーク管理システム１０と、情報提供者１，２及び情報利用者３，４の情報通信端末１６，１７，１８，１９を最寄りのエッジノード７，９，１１，１３に接続するアクセス網１５ａ，１５ｂ，１５ｃ，１５ｄと、キャリアネットワーク或いはＩＳＰ網１４とからなる。エッジノード７，９，１１，１３内には仮想ポータルサイト６，８，２０，１２が設けられ、各仮想ポータルサイト６，８，２０，１２には対応する情報入力フォーム５ａ，５ｂ，５ｃ，５ｄが登録されている。
【００１９】
情報提供者１，２の情報通信端末１６，１７は、最寄りのエッジノード７，９に設けられた仮想ポータルサイト６，８に接続要求する手段と、該接続要求に応答して最寄りのエッジノードから仮想ポータルサイトに対応した情報入力フォーム５ａ，５ｂを受信し、提供情報を仮想ポータルサイトに対応した情報入力フォームに入力して送信する手段を有する。
【００２０】
情報利用者３，４の情報通信端末１８，１９は、最寄りのエッジノード１１，１３に設けられた仮想ポータルサイト２０，１２に接続要求する手段と、該接続要求に応答して最寄りのエッジノードから仮想ポータルサイトに対応した情報入力フォーム１５ｃ，１５ｄを受信し、利用情報を仮想ポータルサイトに対応した情報入力フォームに入力して送信する手段を有する。
【００２１】
図３はエッジノード７，９，１１，１３の構成を示す。
図３に示す構成のエッジノード１００は情報提供者の情報通信端末に最寄りのエッジノードとしても、情報利用者の情報通信端末に最寄りのエッジノードとしても機能するものである。
このエッジノードは、情報提供者１，２の情報通信端末１６，１７に最寄りのエッジノード７，９として機能する場合には、仮想ポータルサイト判定部１０２が情報提供者１，２の情報通信端末１６，１７からネットワーク接続部１０１を介して接続された仮想ポータルサイト６，８への接続要求を判定し、該仮想ポータルサイトへの接続要求であれば、接続を許可し、該仮想ポータルサイトに対応する入力フォームを入力フォーム送／受信手段１０３を介して情報提供者１，２の情報通信端末１６，１７に送信し、情報提供者１，２が該仮想ポータルサイトに対応した情報入力フォームに入力した提供情報を受信し、保持手段１０４に保持する。
【００２２】
更に、検出手段１０５により情報提供者１，２の情報通信端末１６，１７と該情報通信端末に最寄りのエッジノード７，９間のネットワーク情報と、情報提供者１，２の情報通信端末の端末特定情報とを含む情報Ａを検出し、検出した情報Ａを保持手段１０４に保持するとともに、分配処理手段１０６により、保持した情報提供者１，２の提供情報と情報Ａ（情報提供者１，２の情報通信端末１６，１７と該情報通信端末に最寄りのエッジノード７，９間のネットワーク情報、該エッジノード７，９のノード特定情報及び情報提供者１，２の情報通信端末１６，１７の端末特定情報）と該エッジノード７，９のノード特定情報とをネットワーク接続部１０７を介して全エッジノードに分配処理する。
【００２３】
このエッジノード１００は、情報利用者３，４の情報通信端末１８，１９に最寄りのエッジノード１１，１３として機能する場合には、受信処理手段１０８が、情報提供者１，２の最寄りのエッジノード７，９から分配された情報提供者１，２の提供情報と、情報Ａ（情報提供者１，２の情報通信端末１６，１７と該情報通信端末に最寄りの該エッジノード７，９間のネットワーク情報及び情報提供者１，２の情報通信端末の端末特定情報）と、該エッジノード７，９のノード特定情報とをネットワーク接続部１０７を介して受信し、受信した提供情報と情報Ａとエッジノード特定情報を保持手段１０４に保持する。
【００２４】
更に、仮想ポータルサイト判定部１０２が仮想ポータルサイト２０，１２への接続要求を判定し、該仮想ポータルサイト２０，１２への接続要求であれば、接続を許可し、該仮想ポータルサイトに対応する入力フォームを入力フォーム送／受信手段１０２を介して情報利用者３，４の情報通信端末１８，１９に送信し、情報利用者３，４が該仮想ポータルサイトに対応した情報入力フォームに入力した利用情報を受信するとともに、検出手段１０４により情報利用者３，４の情報通信端末１８，１９と当該最寄りのエッジノード１１，１３間のネットワーク情報と情報利用者３，４の情報通信端末１８，１９の端末特定情報とを含む情報Ｂを検出する。
【００２５】
更に、検索抽出手段１０９が、受信保持した情報提供者１，２の提供情報と情報利用者３，４から入力された情報利用者３，４の利用情報、及び受信保持した情報Ａの情報提供者１，２の情報通信端末１６，１７と該情報通信端末に最寄りのエッジノード７，９間のネットワーク情報と検出した情報Ｂの情報利用者３，４の情報通信端末１８，１９と該情報通信端末に最寄りのエッジノード１１，１３間のネットワーク情報とから情報提供者の候補を検索して抽出し、更に決定手段１１０がネットワーク管理システム１０からのトラフィック情報に基づいて情報提供者を決定し、相互接続手段１１１が、決定した情報提供者の情報通信端末の端末特定情報及び該端末に最寄りのエッジノードのノード特定情報基づいて決定した情報提供者の最寄りのエッジノードとの間に接続を設定し、情報提供者と情報利用者とがリアルタイムに１対１通信を可能とする。
【００２６】
ネットワーク管理システム１０は、エッジノード７，９，１１，１３からトラフィック情報を収集し、エッジノード対地間トラフィック情報を管理する。
【００２７】
次に、図２に示す利用者間接続サービスシステムで実行されるネットワーク情報を用いた利用者間の接続処理を図４に示す処理シーケンスを参照して説明する。
情報を提供する情報提供者１と情報提供者２がいるが、以下では情報提供者１が接続される場合を例に説明する。
説明にあたり、ここでは、情報通信端末の端末特定情報とは、情報提供者１，２及び情報利用者３，４の情報通信端末１６，１７、１８，１９のＩＰアドレスなどの情報と定義し、且つ情報通信端末１６，１７、１８，１９と情報通信端末１６，１７，１８，１９に最寄りのエッジノード７，９，１１，１３間のネットワーク情報とは、アクセス網１５ａ，１５ｂ，１５ｃ、１５ｄの帯域情報と定義する。
また、情報提供者１，２の提供情報は、例として旅行会社が旅行先の北海道、或いは東北等の場所と、費用と予定日数などを仮想ポータルサイトに対応した情報入力フォームで提供し、情報利用者３，４の利用情報は、旅行プランを作成中の人が情報を集める為に、旅行先の北海道、或いは東北等の場所と、費用と予定日数など仮想ボークルサイトに対応した情報入力フォームで入力し、一致検索によるものとする。
【００２８】
図５は、情報提供者１，２の提供情報の仮想ポータルサイトに対応した情報入力フォームを示す例であり、「場所」「費用」「予定日数」などの各項目に対しマークした情報を提供していることを示している。
図６は、情報利用者３，４の利用情報の仮想ポータルサイトに対応した情報入力フォームを示す例であり、「場所」「費用」「予定日数」等の各項目に対しマークした情報を求めていることを示している。
図５、６に示すとおり両図の項目を同一にしていることから一致検索を行うことが可能である。
【００２９】
図２に示す利用者間接続サービスシステムにおいて、全てのエッジノード７，９，１１，１３には所望の仮想ポータルサイト６，８，２０、１２が登録されている（Ｓｌ）。Ｓはステップを表す。
仮想ポータルサイトヘの登録例として、アドレスは、情報提供者用でkankou-s.co.jp（129.60.11.239），情報利用者用はkankou-r.co.jp（129.60.11.240）とし、仮想ポータルサイトに対応した情報入力フォームを登録し、提供情報の仮想ポータルサイトに対応した情報入力フォームは５ａ，５ｂであり、利用情報の仮想ポータルサイトに対応した情報入力フォームは５ｃ，５ｄである。エッジノードのノード特定情報は、エッジノード番号Ｎｏ１０１、Ｎｏ１０２，Ｎｏ１０３，Ｎｏ１０４とする。
【００３０】
情報提供者１の情報通信端末１６は、最寄りのエッジノード７内の仮想ポータルサイト６に登録アドレスで接続要求し（Ｓ２）、エッジノード７から仮想ポータルサイトに対応した情報入力フォーム５ａを受信し、例えば旅行情報などの提供情報を仮想ポータルサイトに対応した情報入力フォーム５ａに入力し、最寄りのエッジノード７に送信する（Ｓ３）。
情報提供者１の情報通信端末１６に最寄りのエッジノード７は、情報提供者１の情報通信端末１６から、例えば旅行情報などの提供情報の仮想ポータルサイトに対応した情報入力フォーム５ａを受信し保持するとともに、情報提供者１の情報通信端末１６と該情報通信端末１６に最寄りのエッジノード７間のネットワーク情報（アクセス網１５ａの帯域情報）と情報提供者１の情報通信端末１６の端末特定情報（ＩＰアドレス）を検出し（Ｓ４）、受信した情報提供者１の提供情報と、情報提供者１の情報通信端末１６と該情報通信端末１６に最寄りのエッジノード７間のネットワーク情報及び情報提供者１の情報通信端末１６の端末特定情報（ＩＰアドレス）を含む情報Ａと、当該エッジノー７ドのノード特定情報（ノード番号）とを他のエッジノード９，１１，１３に分配処理する（Ｓ５）。
【００３１】
情報提供者２の情報通信端末１７は、上記のＳ２〜Ｓ５と同じ手順に従い、仮想ポータルサイト８に対応した情報入力フォーム５ｂを最寄りのエッジノード９と送受信し、情報提供者２の情報通信端末１７に最寄りのエッジノード９は、受信保持した情報提供者２の提供情報と、検出した情報提供者２の情報通信端末１７と該情報通信端末１７に最寄りのエッジノード９間のネットワーク情報（アクセス網１５ｂの帯域情報）及び情報提供者２の情報通信端末１７の端末特定情報（ＩＰアドレス）を含む情報Ａと、当該エッジノード９のノード特定情報（ノード番号）とを他のエッジノード７，１１，１３に分配処理をする。
【００３２】
情報提供者１，２の情報通信端末１６，１７に最寄りのエッジノード７，９は、上記の分配処理後に、情報提供者１，２の提供情報と、情報Ａ（情報提供者１，２の情報通信端末１６、１７と該情報通信端末１６，１７に最寄りのエッジノード７、９間のネットワーク情報及び情報提供者１，２の情報通信端末１６，１７の端末特定情報）と、それぞれのエッジノード特定情報の分配処理を周期的に行う。
【００３３】
情報利用者３の情報通信端末１８に最寄りのエッジノード１１は、分配された情報提供者１，２の提供情報と、情報Ａ（情報提供者１，２の情報通信端末１６，１７と該情報通信端末１６，１７に最寄りのエッジノード７，９間のネットワーク情報及び該情報通信端末１６、１７の端末特定情報）と、エッジノード７，９のノード特定情報とを受信する（Ｓ６）。
【００３４】
情報利用者３の情報通信端末１８に情報通信端末１８は、最寄りのエッジノード１１内の仮想ポータルサイト２０に接続要求し（Ｓ７）、最寄りのエッジノード１１から仮想ポータルサイトに対応した情報入力フォーム５ｃを受信し、旅行情報など利用情報を仮想ポータルサイトに対応した情報入力フォーム５ｃに入力し、最寄りのエッジノード１１に送信する（Ｓ８）。
【００３５】
情報利用者３の最寄りのエッジノード１１は、情報利用者３からの利用情報の仮想ポータルサイトに対応した情報入力フォーム５ｃを受信するとともに、情報利用者３の情報通信端末１８と該情報通信端末１８に最寄りのエッジノード１１間のネットワーク情報（アクセス網１５ｃの帯域情報）及び情報利用者３の情報通信端末１８の端末特定情報（ＩＰアドレス情報）を含む情報Ｂを検出する（Ｓ９）。
【００３６】
情報利用者３の情報通信端末１８に最寄りのエッジノード１１は、情報提供者１，２の提供情報と情報利用者３の利用情報、及び情報Ａの情報提供者１，２の情報通信端末１６，１７と該情報通信端末１６，１７に最寄りのエッジノード７，９間のネットワーク情報と情報Ｂの情報利用者３の情報通信端末１８と該情報通信端末１８に最寄りのエッジノード１１間のネットワーク情報と基づいて該当する情報提供者候補を検索し抽出する（Ｓｌ０）。
【００３７】
本実施例では、このステップＳ１０において、情報利用者３の情報通信端末１８に最寄りのエッジノード１１は、情報提供者１の提供情報および情報提供者２の提供情報と、情報利用者３の利用情報とから該当する情報提供者候補を検索して抽出し、さらに情報提供者１の情報通信端末１６と最寄りのエッジノード７間のネットワーク情報および情報提供者２の情報通信端末１７と最寄りのエッジノード９間のネットワーク情報と、情報利用者３の情報通信端末１８と最寄りのエッジノード１１間のネットワーク情報とから、お互いの利用する帯域情報等が最も等しいネットワーク情報をもつ情報提供者を検索して抽出する。
【００３８】
ここでは、情報提供者１、２の提供情報と情報利用者３の利用情報とが一致し、且つ情報提供者１，２の情報通信端末１６、１７と該情報通信端末１６、１７に最寄りのエッジノード７，９間のネットワーク情報と、情報利用者３の情報通信端末１８と該情報通信端末１８に最寄りのエッジノード１１間のネットワーク情報とが同等であって、情報提供者１と情報提供者２が選択されたものとする。
【００３９】
この場合には、情報提供者１，２の候補を絞るために、情報利用者３の情報通信端末１８に最寄りのエッジノード１１は、キャリアネットワーク或いはＩＳＰ網１４内のネットワーク管理システム１０に間い合わせし、受信した情報提供者１，２に最寄りのエッジノード７，９のノード特定情報に基づいて、ネットワーク管理システム１０からエッジノード１１とエッジノード７，９の対地間トラフィック情報を入手し（Ｓｌｌ）、入手したエッジノード対地間トラフィック情報からいずれのエッジノード７及びエッジノード９を選択するのが有効かを判定する。ここではエッジノード７につながる情報提供者１の提供情報に決定し、エッジノード番号などのノード特定情報と情報提供者１のＩＰアドレス情報に基づいてエッジノード７との間に接続を設定する（Ｓ１２）。
【００４０】
情報提供者１の情報通信端末１６が接続待ちである時は、エッジノード７は情報通信端末１６との接続を行い、情報提供者１の情報通信端末１６と情報利用者３の情報通信端末１８間でリアルタイムに１対１の相互通信が可能となる。
【００４１】
図５に示す利用者接続の処理シーケンスのステップＳｌ０において、情報利用者３の情報通信端末１８に最寄りのエッジノード１１は、仮に情報利用者３の利用情報が情報提供者１の提供情報とも、情報提供者２の提供情報とも一致しないときは、該当無しということを情報利用者３の情報通信端末１８に通知した後、接続を切断する。
【００４２】
ステップＳ１２において決定された情報提供者１の情報通信端末１６が接続待ち状態でない場合には、情報利用者３の情報通信端末１８に最寄りのエッジノード１１は、ステップＳｌｌにおいて順位づけした結果を用い、最も良い情報提供者でない次の情報提供者である情報提供者２に接続を試みる処理、或いは最新のエッジノード対地間トラフィック情報により情報提供者を決定するためにステップＳｌｌ，Ｓ１２に戻ってあらためて情報提供者を決定する処理（ここでは情報提供者は情報提供者１および情報提供者２の２人なので情報提供者１を除いた情報提供者２となる）。或いは検索ステップＳｌ０に戻ってあらためて情報提供者の候補を検索する処理（ここでは上記のステップＳｌｌ，Ｓ１２と同様に情報提供者は情報提供者１を除いた情報提供者２となる）を行うようにしてもよい。
【００４３】
以上、本発明によるネットワーク情報を用いた利用者間接続サービスを実現するシステムのエッジノードの構成、手段及び処理ステップを説明したが、これらの手段及びステップはエッジノードを構成するコンピュータにより実現することができ、本発明はこれらの手段又はステップを実現させるためのコンピュータプログラムも本発明の範囲に含むものである。
【図面の簡単な説明】
【００４４】
【図１】従来のサーバを用いた情報通信システムを示す図である。
【図２】本発明によるネットワーク情報を用いた利用者間接続システムを示す図である。
【図３】情報提供者の情報通信端末に最寄りのエッジノードとしても、情報利用者の情報通信端末に最寄りのエッジノードとしても機能するエッジノードの構成図である。
【図４】図２に示す利用者間接続サービスシステムで実行されるネットワーク情報を用いた利用者間接続の処理シーケンスを示す図である。
【図５】情報提供者の提供情報の仮想ポータルサイトに対応した情報入力フォームである。
【図６】情報利用者の利用情報の仮想ポータルサイトに対応した情報入力フォームである。
【符号の説明】
【００４５】
１、２  情報提供者
３，４  情報利用者
５ａ，５ｂ，５ｃ，５ｄ  仮想ポータルサイトに対応した情報入力フォーム
６，８，２０、１２  エッジノード内の仮想ポータルサイト
７，９，１１，１３  エッジノード
１０  ネットワーク内のネットワーク管理システム
１４  キャリアネットワーク或いはＩＳＰ網
１５ａ，１５ｂ，１５ｃ，１５ｄ  アクセス網
１６，１７，１８，１９  情報通信端末
１００  エッジノード
１０１  ネットワーク接続部
１０２  仮想ポータルサイト判定部
１０３  入力フォーム送／受信手段
１０４  保持手段
１０５  検出手段
１０６  分配処理手段
１０７  ネットワーク接続部
１０８  受信処理手段
１０９  検索抽出手段
１１０  決定手段
１１１  相互接続手段
【図１】
2005165539.tif 000003
【図２】
2005165539.tif 000004
【図３】
2005165539.tif 000005
【図４】
2005165539.tif 000006
【図５】
2005165539.tif 000007
【図６】
2005165539.tif 000008